(57)【要約】【課題】回転刃と回転動力伝達部材との接続部の破損を防止すること、切断対象に深く切り込みすぎることを防止すること。【解決手段】回転軸１０６に接続する回転刃１００であって、回転軸１０６と回転刃１００との接続箇所が刃部１０１よりも上方に位置し、横方向から見た場合に接続部材であるボルト部１０７及びナット１０８が刃部１０１よりも下方に出ていないことを特徴とする回転刃１００を提供する。【選択図】図２
2004033072.tif 000002
【特許請求の範囲】
【請求項１】
回転動力発生装置と回転動力伝達部材とを有する草刈機に使用される回転刃であって、
前記回転動力伝達部材との接続箇所が刃部よりも上方に位置し、横方向から見た場合に前記回転動力伝達部材との接続部材が前記刃部よりも下方に出ていないことを特徴とする回転刃。
【請求項２】
前記回転刃は、上面と、環状に形成された刃部と、前記上面と前記刃部とに段差を付ける側壁と、を有し、
前記上面に前記回転動力伝達部材との接続箇所を設けたことを特徴とする請求項１に記載の回転刃。
【請求項３】
前記側壁は、前記刃部及び前記上面に対して垂直に形成されていることを特徴とする請求項２に記載の回転刃。
【請求項４】
回転動力発生装置と回転動力伝達部材とを有する草刈機に使用される回転刃であって、
前記回転動力伝達部材との接続箇所と刃部との間に側壁を設けたことを特徴とする回転刃。
【請求項５】
前記側壁には、前記回転動力伝達部材の方に凸となるように環状の上面が設けられていることを特徴とする請求項４に記載の回転刃。
【請求項６】
回転動力発生装置と回転動力伝達部材とを有する草刈機に使用される回転刃であって、
前記回転動力伝達部材との接続箇所と刃部との間に少なくとも側壁を有するカバーを設けたことを特徴とする回転刃。
【請求項７】
前記側壁は、前記刃部に対して垂直に形成されていることを特徴とする請求項４乃至６の何れか一項に記載の回転刃。
【発明の詳細な説明】
【０００１】
【発明の属する技術分野】
本発明は、回転動力発生装置と回転動力伝達部材とを有する草刈機に使用される回転刃に関する。
【０００２】
【従来の技術】
従来、回転動力発生装置と回転動力伝達部材とを有する草刈機に使用される回転刃は、図８に表されているように、円盤状に形成されており、この回転刃４００と回転動力伝達部材４２０とを接続部材としてのボルト部４２１とナット４２２で接続している。
【０００３】
具体的には、回転動力伝達部材４２０に形成されているボルト部４２１に、刃部４２３の下方からナット４２２をはめることにより、この回転動力伝達部材４２０に円盤状の回転刃４００を接続するようにしていた。
【０００４】
【発明が解決しようとする課題】
しかしながら、円盤状に形成した刃部の下方から回転動力伝達部材に形成されているボルト部にナットをはめたのでは、実際に草を刈るときに、回転刃の下方に出ているボルト部やナットが地面にぶつかり、このボルト部やナットが破損してしまうことがあった。
【０００５】
また、円盤状に形成されている刃部を有する草刈機で木を切る場合には、この木を深く切り込みすぎてしまうときがあり、このようなときには、回転動力発生装置に過度の負荷をかけてしまい、時には、回転刃の回転が止まってしまうこともあった。
【０００６】
そこで、本発明は、回転刃と回転動力伝達部材とを接続している接続部材の破損を防止し、切り込み対象に深く切り込んでしまうことがない草刈機用の回転刃を提供することを目的とする。
【０００７】
【課題を解決するための手段】
以上の課題を解決するため、本願第一の発明は、回転動力発生装置と回転動力伝達部材とを有する草刈機に使用される回転刃であって、前記回転動力伝達部材との接続箇所が刃部よりも上方に位置し、横方向から見た場合に前記回転動力伝達部材との接続部材が前記刃部よりも下方に出ていないことを特徴とする回転刃を提供する。
【０００８】
本発明に係る回転刃は、回転動力発生装置と回転動力伝達部材とを有する草刈機に使用される。
【０００９】
このような回転動力発生装置と回転動力伝達部材を有していれば、どのような草刈機でもよく、例えば、手提げ式の草刈機でもよく、走行車輪を付けた自走式の草刈機でもよい。
【００１０】
回転動力発生装置は、回転動力伝達部材を回転させることにより、この回転動力伝達部材に接続されている回転刃を回転させるものであればよい。
【００１１】
回転刃は、この回転動力伝達部材との接続箇所が刃部よりも上方に位置し、横方向から見た場合に回転動力伝達部材との接続部材が刃部よりも下方に出ていないようにすることで、この回転刃を回転させて草を刈り取る場合に、この接続部材が地面にぶつかることがなくなり、この接続部材の破損を防止することができる。
【００１２】
このような回転刃としては、上面と、環状に形成された刃部と、この上面と刃部とに段差を付ける側壁と、を有し、上面に回転動力伝達部材との接続箇所を設けるように構成することができる。
【００１３】
そして、この側壁を刃部及び上面に対して垂直に形成することで、例えば、木を切る場合に、この側壁がブレーキとなり、刃部が木を深く切り込みすぎてしまうことを防止することができる。
【００１４】
また、誤って、人体を切ってしまった場合でも、この側壁がブレーキとなり、この回転刃が深く切り込んでしまうことを防止することができる。
【００１５】
本願第二の発明は、回転動力発生装置と回転動力伝達部材とを有する草刈機に使用される回転刃であって、前記回転動力伝達部材との接続箇所と刃部との間に側壁を設けたことを特徴とする回転刃を提供する。
【００１６】
このような側壁を設けることにより、例えば、木を切る場合に、この側壁がブレーキとなり、刃部が木を深く切り込みすぎてしまうことを防止することができ、また、誤って、人体を切ってしまった場合でも、この側壁がブレーキとなり、この回転刃が深く切り込んでしまうことを防止することができる。
【００１７】
なお、このような側壁は、刃部に対して垂直に形成されていることが望ましい。
【００１８】
また、このような側壁には、回転動力伝達部材の方に凸となるように環状の上面を設けることもできる。
【００１９】
本願第三の発明は、回転動力発生装置と回転動力伝達部材とを有する草刈機に使用される回転刃であって、前記回転動力伝達部材との接続箇所と刃部との間に少なくとも側壁を有するカバーを設けたことを特徴とする回転刃を提供する。
【００２０】
このような側壁を設けることにより、上述のように、木を切る場合に、この側壁がブレーキとなり、刃部が木を深く切り込みすぎてしまうことを防止することができ、また、誤って、人体を切ってしまった場合でも、この回転刃が深く切り込んでしまうことを防止することができる。
【００２１】
そして、このような側壁は、刃部に対して垂直に形成されていることが望ましい。
【００２２】
【発明の実施の形態】
図１は、本発明の第一の実施形態に係る回転刃１００の上方斜視図である。
【００２３】
回転刃１００は、実際に草等を刈る刃１０４を有し、環状に形成された刃部１０１と、軸用貫通孔１０５を有する上面１０２と、刃部１０１と上面１０２とに段差を付ける側壁１０３とにより構成されている。
【００２４】
刃部１０１の長さ、即ち、側壁１０３から刃１０４の先端部１０４ａまでの距離Ｘは、切断対象を深く切り込みすぎないようにするという本発明の目的を達成する範囲で適時選択することができる。
【００２５】
なお、側壁１０３については、刃部１０１及び上面１０２に対して垂直となるように形成されている。
【００２６】
この点、この側壁１０３を垂直ではなく、所定の角度に傾斜を付けるようにすることも可能である。
【００２７】
図２に表されているように、回転刃１００の上面１０２と側壁１０３の内部は中空状に形成されている。
【００２８】
そして、回転刃１００は、上面１０２に設けられている軸用貫通孔１０５に回転動力伝達部材として用いられる回転軸１０６を挿入し、この回転軸１０６の先端に設けられているボルト部１０７にナット１０８を取付けることにより回転軸１０６に接続されており、図示されてはいないがモーターによりこの回転軸１０６が回転させられた場合には、この回転軸１０６に接続されている回転刃１００も回転させられるような構造となっている。
【００２９】
ここで、図２に表されているように、側壁１０３の高さＹは、ボルト部１０７及びナット１０８の高さＺよりも高くされており、この回転刃１００を横方向から見た場合にボルト部１０７及びナット１０８が刃部１０４よりも下方に出ないようにされている。
【００３０】
以上のように本実施形態に係る回転刃１００を構成したので、接続部材として用いられるボルト部１０７及びナット１０８が刃部１０４よりも下方に出ていないため、このボルト部１０７及びナット１０８が地面等にぶつかることがなく、このボルト部１０７及びナット１０８といった接続部材の破損を防止することができる。
【００３１】
また、回転刃１００には、側壁１０３が設けられているため、側壁１０３から刃１０４の先端部１０４ａ間での距離Ｘ以上に回転刃１００が切断対象を深く切り込みすぎてしまうことがなくなる。
【００３２】
図３は、本発明の第二の実施形態に係る回転刃２００の上方斜視図である。
【００３３】
回転刃２００は、実際に草や木を切る刃１０４を有し、円盤状に形成された刃部２０１に軸用貫通孔２０５を設けており、刃部２０１の所定位置にこの刃部２０１に対して垂直となるように側壁２０３が設けられている。
【００３４】
なお、本実施形態でも、第一の実施形態と同様、側壁２０３から刃１０４の先端部１０４ａまでの距離Ｘは、木を切る際に深く切り込みすきないようにするという本発明の目的を達成する範囲で適時選択することができる。
【００３５】
また、側壁２０３の高さＺも、切断対象とぶつかって、深く切り込みすぎないようにするという本発明の目的を達成することができる範囲で、適時選択することができる。
【００３６】
そして、図４に表されているように、回転刃２００は、刃部２０１に設けられている軸用貫通孔２０５に回転動力伝達部材として用いられる回転軸１０６を挿入し、この回転軸１０６の先端に設けられているボルト部１０７にナット１０８を取付けることにより回転軸１０６に接続されており、図示されてはいないがモーターによりこの回転軸１０６が回転させられた場合には、この回転軸１０６に接続されている回転刃２００も回転させられるような構造となっている。
【００３７】
以上のように本実施形態に係る回転刃２００を構成したので、刃部２０１に設けられた側壁２０３により、側壁２０３から刃１０４の先端部１０４ａ間での距離Ｘ以上に回転刃２００が切断対象を深く切り込みすぎてしまうことがなくなる。
【００３８】
なお、この側壁２０３については、図５に表されているように、回転軸１０６に向かって凸となるように、環状の上面２０２を設けることもできる。
【００３９】
図６は、本発明の第三の実施形態に係る回転刃３００の上方斜視図である。
【００４０】
回転刃３００は、実際に草等を刈る刃１０４を有し、板状に形成された刃部３０１の上方に、この刃部３０１に対して垂直となる側壁３０３を有するカバー３１０が設けられている。
【００４１】
本実施形態においても、第一の実施形態と同様、側壁３０３から刃１０４の先端部１０４ａまでの距離Ｘは、この回転刃３００により刈り取る草の大きさ、及び、切断対象を深く切り込まないようにするという本発明の目的を達成する範囲で適時選択することができる。
【００４２】
なお、カバー３１０の内部は、中空状にすることも可能である。
【００４３】
また、側壁３０３の高さＺも、切断対象とぶつかって、深く切り込みすぎないようにするという本発明の目的を達成することができる範囲で、適時選択することができる。
【００４４】
図７に表されているように、カバー３１０及び刃部３０１には、その中心部に軸用貫通孔３０５が設けられており、この軸用貫通孔３０５に回転動力伝達部材として用いられる回転軸１０６を挿入し、この回転軸１０６の先端に設けられているボルト部１０７にナット１０８を取付けることで、回転刃３００は回転軸１０６に取付けることができるようにされている。
【００４５】
以上のように本実施形態に係る回転刃３００を構成したので、側壁３０３から刃１０４の先端部１０４ａ間での距離Ｘ以上に回転刃３００が切断対象を深く切り込みすぎてしまうことがなくなる。
【００４６】
【発明の効果】
以上のように本発明を構成したので、側壁により、切断対象を深く切り込んでしまうことがなくなり、回転動力発生装置に過度の負担がかかるのを防止することができる。
【００４７】
また、接続部材が刃部よりも下方に出ないようにすることにより、接続部材が地面に接触して破損してしまうことを防止することができる。
【図面の簡単な説明】
【図１】第一の実施形態に係る回転刃１００の上方斜視図。
【図２】回転刃１００と回転軸１０６との接続例。
【図３】第二の実施形態に係る回転刃２００の上方斜視図。
【図４】回転刃２００と回転軸１０６との接続例。
【図５】回転刃２００の変形例
【図６】第三の実施形態に係る回転刃３００の上方斜視図。
【図７】回転刃３００と回転軸１０６との接続例。
【図８】従来の回転刃４００を表す側面図。
【符号の説明】
１００、２００、３００　回転刃
１０１、２０１、３０１　刃部
１０２、２０２　上面
１０３、２０３、３０３　側壁
１０４　刃
１０５、２０５、３０５　軸用貫通孔
１０６　回転軸
１０７　ボルト部
１０８　ナット
３１０　カバー
【図１】
2004033072.tif 000003
【図２】
2004033072.tif 000004
【図３】
2004033072.tif 000005
【図４】
2004033072.tif 000006
【図５】
2004033072.tif 000007
【図６】
2004033072.tif 000008
【図７】
2004033072.tif 000009
【図８】
2004033072.tif 000010